【手続補正書】
【提出日】平成22年9月21日(2010.9.21)
【手続補正１】
【補正対象書類名】特許請求の範囲
【補正対象項目名】全文
【補正方法】変更
【補正の内容】
【特許請求の範囲】
【請求項１】
装置を統括的に制御する第１制御手段と、該第１制御手段からの指示に従って記録材に画像を形成する画像形成処理を制御する第２制御手段とを備え、該第１制御手段及び該第２制御手段の動作状態として、該第１制御手段の一部の機能及び該第２制御手段の全ての機能を停止することで消費電力を制限する省エネルギー状態と、該第１制御手段及び該第２制御手段の全ての機能を停止する停止状態とを有する画像形成装置であって、
前記停止状態にある前記第２制御手段を起動させるための起動処理を実行する起動手段と、
前記省エネルギー状態にある前記第２制御手段を起動させる復帰処理であって、前記起動処理の一部となる前記復帰処理を実行する復帰手段と、
前記停止状態又は前記省エネルギー状態の何れの状態から起動されたかに関わらず、前記第１制御手段の起動時の処理と同時に前記復帰手段による復帰処理を実行させ、前記第１制御手段が起動した後に前記第２制御手段に対して通知される起動前の動作状態を示す起動情報が前記停止状態を示す場合に前記起動手段による起動処理を実行させる起動調整手段と
を備えることを特徴とする画像形成装置。
【請求項２】
前記起動調整手段は、
前記起動処理を実行させる場合に、該起動処理のうち、既に実行されている復帰処理と重複しない処理のみを実行させることを特徴とする請求項１に記載の画像形成装置。
【請求項３】
前記起動調整手段は、
前記復帰処理を実行させた後に、前記第１制御手段から通知される前記起動情報を受信するまで前記起動手段による起動処理を待機させる待機手段を備えることを特徴とする請求項１又は２に記載の画像形成装置。
【請求項４】
画像形成が可能な起動状態から前記停止状態に遷移する前に、前記起動情報として、前記画像形成装置に備えられる不揮発メモリに前記停止状態を示す情報を書き込む書込手段をさらに備え、
前記起動調整手段の代わりに、
前記画像形成装置が起動されると、前記不揮発メモリに停止状態を示す情報が書き込まれている場合に前記第１制御手段の起動時の処理と同時に前記第２制御手段の前記起動処理を選択して実行し、前記停止状態を示す情報が書き込まれていない場合に前記第１制御手段の起動時の処理と同時に前記第２制御手段の前記復帰処理を選択して実行させる選択手段をさらに備えることを特徴とする請求項１に記載の画像形成装置。
【請求項５】
画像形成が可能な起動状態から前記省エネルギー状態に遷移する前に、前記起動情報として、前記画像形成装置に備えられる不揮発メモリに前記省エネルギー状態を示す情報を書き込む書込手段をさらに備え、
前記起動調整手段の代わりに、
前記画像形成装置が起動されると、前記不揮発メモリに省エネルギー状態を示す情報が書き込まれている場合に前記第１制御手段の起動時の処理と同時に前記第２制御手段の前記復帰処理を選択して実行し、前記省エネルギー状態を示す情報が書き込まれていない場合に前記第１制御手段の起動時の処理と同時に前記第２制御手段の前記起動処理を選択して実行させる選択手段をさらに備えることを特徴する請求項１に記載の画像形成装置。
【請求項６】
前記選択手段は、
前記復帰処理を実行させた後に、前記第１制御手段から通知される前記起動情報を受信するまで前記起動手段による起動処理を待機させることを特徴とする請求項４又は５に記載の画像形成装置。
【請求項７】
前記選択手段は、
前記第１制御手段から通知される前記起動情報が前記停止状態を示す場合に、前記起動手段に起動処理を実行させることを特徴とする請求項６に記載の画像形成装置。
【請求項８】
前記選択手段は、
前記復帰処理を実行させた後に前記起動処理を実行させる場合に、該起動処理のうち、既に実行されている復帰処理と重複しない処理のみを実行させることを特徴とする請求項７に記載の画像形成装置。
【請求項９】
装置を統括的に制御する第１制御手段と、該第１制御手段からの指示に従って記録材に画像を形成する画像形成処理を制御する第２制御手段とを備え、該第１制御手段及び該第２制御手段の動作状態として、該第１制御手段の一部の機能及び該第２制御手段の全ての機能を停止することで消費電力を制限する省エネルギー状態と、該第１制御手段及び該第２制御手段の全ての機能を停止する停止状態とを有する画像形成装置の制御方法であって、
前記停止状態にある前記第２制御手段を起動させるための起動処理を実行するステップと、
前記省エネルギー状態にある前記第２制御手段を起動させる復帰処理であって、前記起動処理の一部となる前記復帰処理を実行するステップと、
前記停止状態又は前記省エネルギー状態の何れの状態から起動されたかに関わらず、前記第１制御手段の起動時の処理と同時に前記復帰処理を実行させ、前記第１制御手段が起動した後に前記第２制御手段に対して通知される起動前の動作状態を示す起動情報が前記停止状態を示す場合に前記起動処理を実行させるステップと
を実行することを特徴とする制御方法。
【手続補正２】
【補正対象書類名】明細書
【補正対象項目名】０００７
【補正方法】変更
【補正の内容】
【０００７】
本発明は、例えば、装置を統括的に制御する第１制御手段と、第１制御手段からの指示に従って記録材に画像を形成する画像形成処理を制御する第２制御手段とを備え、第１制御手段及び第２制御手段の動作状態として、第１制御手段の一部の機能及び第２制御手段の全ての機能を停止することで消費電力を制限する省エネルギー状態と、第１制御手段及び第２制御手段の全ての機能を停止する停止状態とを有する画像形成装置として実現できる。画像形成装置は、停止状態にある第２制御手段を起動させるための起動処理を実行する起動手段と、省エネルギー状態にある第２制御手段を起動させる復帰処理であって、起動処理の一部となる復帰処理を実行する復帰手段と、停止状態又は省エネルギー状態の何れの状態から起動されたかに関わらず、第１制御手段の起動時の処理と同時に復帰手段による復帰処理を実行させ、第１制御手段が起動した後に第２制御手段に対して通知される起動前の動作状態を示す起動情報が停止状態を示す場合に起動手段による起動処理を実行させる起動調整手段とを備えることを特徴とする。
【手続補正３】
【補正対象書類名】明細書
【補正対象項目名】０００８
【補正方法】変更
【補正の内容】
【０００８】
また、本発明は、例えば、装置を統括的に制御する第１制御手段と、第１制御手段からの指示に従って記録材に画像を形成する画像形成処理を制御する第２制御手段とを備え、第１制御手段及び第２制御手段の動作状態として、第１制御手段の一部の機能及び第２制御手段の全ての機能を停止することで消費電力を制限する省エネルギー状態と、第１制御手段及び第２制御手段の全ての機能を停止する停止状態とを有する画像形成装置の制御方法として実現できる。制御方法は、停止状態にある第２制御手段を起動させるための起動処理を実行するステップと、省エネルギー状態にある第２制御手段を起動させる復帰処理であって、起動処理の一部となる復帰処理を実行するステップと、停止状態又は省エネルギー状態の何れの状態から起動されたかに関わらず、第１制御手段の起動時の処理と同時に復帰処理を実行させ、第１制御手段が起動した後に第２制御手段に対して通知される起動前の動作状態を示す起動情報が停止状態を示す場合に起動処理を実行させるステップとを実行することを特徴とする。